(57)【要約】【課題】本発明は、マグネットの吸着力を抑えつつ、落下やずり落ちを防止することのできるマグネット付き飲料容器を提供する。【解決手段】本発明のマグネット付き飲料容器１０は、飲料を直接入れる又は飲料を入れたカップ５０を収容するマグネット付き飲料容器であって、容器本体１１の周面に吸着面２０が形成されており、前記吸着面には、マグネット３０と滑り止め部材４０が配置される。前記マグネットの磁力は、前記滑り止め部材なしで飲料又は飲料を入れたカップを含むマグネット付き飲料容器を磁性体からなる取付面にずれ落ちることなく吸着させるために必要な磁力の５０％以下とすることが望ましい。【選択図】図２
2020156769.tif 000002
【特許請求の範囲】
【請求項１】
飲料を直接入れる又は飲料を入れたカップを収容するマグネット付き飲料容器であって、
容器本体の周面に吸着面が形成されており、
前記吸着面には、マグネットと滑り止め部材が配置される、
ことを特徴とするマグネット付き飲料容器。
【請求項２】
前記マグネットの磁力は、前記滑り止め部材なしで飲料又は飲料を入れたカップを含むマグネット付き飲料容器を磁性体からなる取付面にずれ落ちることなく吸着させるために必要な磁力の５０％以下である、
請求項１に記載のマグネット付き飲料容器。
【請求項３】
前記容器本体の上縁に凹みが形成されている、
請求項１又は請求項２に記載のマグネット付き飲料容器。
【請求項４】
前記滑り止め部材は、エラストマー系樹脂又は軟質ポリ塩化ビニルである、
請求項１乃至請求項３の何れかに記載のマグネット付き飲料容器。
【発明の詳細な説明】
【技術分野】
【０００１】
本発明は、磁性体の壁面などの取付面に吸着させることのできるマグネット付き飲料容器に関するものであり、より具体的には、マグネットによる吸着力を抑えつつ、取付面からずり落ちないマグネット付き飲料容器に関するものである。
【背景技術】
【０００２】
容器本体の周面にマグネットを具え、磁性体の壁面などの取付面に吸着させる飲料容器が提案されている。たとえば、特許文献１では、凹曲面状に形成したマグネットを容器本体の周面に配置し、鉄パイプ製の支柱の如き曲面形状の磁性体に飲料容器を吸着できるようにしている。
【先行技術文献】
【特許文献】
【０００３】
【特許文献１】特開２００２−１９９９８０号公報
【発明の概要】
【発明が解決しようとする課題】
【０００４】
マグネットの吸着力が強いと飲料容器を取付面から引き剥がす際に強い引張り力が必要となり、引き剥がしたときの反動で飲料がこぼれてしまうことがある。逆に、マグネットの吸着力が弱いと、飲料容器が落下やずり落ちしてしまう。
【０００５】
本発明の目的は、マグネットの吸着力を抑えつつ、落下やずり落ちを防止することのできるマグネット付き飲料容器を提供することである。
【課題を解決するための手段】
【０００６】
本発明のマグネット付き飲料容器は、
飲料を直接入れる又は飲料を入れたカップを収容するマグネット付き飲料容器であって、
容器本体の周面に吸着面が形成されており、
前記吸着面には、マグネットと滑り止め部材が配置される。
【０００７】
前記マグネットの磁力は、前記滑り止め部材なしで飲料又は飲料を入れたカップを含むマグネット付き飲料容器を磁性体からなる取付面にずれ落ちることなく吸着させるために必要な磁力の５０％以下とすることが望ましい。
【０００８】
前記容器本体の上縁に凹みを形成することが望ましい。
【０００９】
前記滑り止め部材は、エラストマー系樹脂又は軟質ポリ塩化ビニルとすることができる。
【発明の効果】
【００１０】
本発明のマグネット付き飲料容器によれば、容器本体の吸着面にマグネットを配置したことで、磁性体の壁面などの取付面に飲料容器を吸着させることができる。吸着面に滑り止め部材を配置したことで、飲料容器は取付面に対して滑り難く構成できるから、吸着面に配置するマグネットの磁力を小さくすることができる。その結果、取付面から飲料容器を引き剥がす力も小さく済むから、引き剥がしの際の反動により飲料容器から飲料がこぼれてしまうことを防止できる。
【図面の簡単な説明】
【００１１】
【図１】図１は、本発明の第１実施形態に係る飲料容器を示す斜視図である。
【図２】図２は、第１実施形態の飲料容器の分解図である。
【図３】図３は、第１実施形態の変形例であり、実施例の発明例に用いた飲料容器の断面図である。
【図４】図４は、本発明の第２実施形態に係る飲料容器を示す斜視図である。
【図５】図５は、第２実施形態の飲料容器の分解図である。
【発明を実施するための形態】
【００１２】
以下、図面を参照しながら、本発明のマグネット付き飲料容器１０（以下単に「飲料容器」という）について説明を行なう。
【００１３】
＜第１実施形態＞
図１及び図２は、本発明の第１実施形態に係る飲料容器１０の斜視図、分解図を示している。図１及び図２の飲料容器１０は、有底円筒状の容器本体１１を有し、その周面に形成された吸着面２０にマグネット３０と滑り止め部材４０を配置して構成したものである。容器本体１１は有底であるから直接飲料を入れることができ、また、図２に示すように、容器本体１１に飲料の入ったカップ５０を収容してカップホルダーとして使用することもできる。
【００１４】
容器本体１１は、ＡＢＳ(Acrylonitrile butadiene styrene)樹脂、ポリプロピレン、ポリカーボネートなどの樹脂、ステンレス鋼やアルミニウム合金などの金属から作製することができる。容器本体１１には、図に示すようにユーザーが掴む掴み部１３を形成することができる掴み部１３は、容器本体１１と一体に成形、或いは、容器本体１１に掴み部１３をネジ止め、接着等により設けることができる。
【００１５】
吸着面２０は、容器本体１１の周面に形成され、マグネット３０と滑り止め部材４０が配置される。容器本体１１に掴み部１３を形成する場合、吸着面２０は、掴み部１３と径方向に対向する位置に形成することが望ましい。吸着面２０には、マグネット３０を収容する凹部２１を形成することができる。
【００１６】
マグネット３０は、たとえば、吸着面２０に形成した凹部２１に接着や両面テープで貼着することにより配置される。マグネット３０として、フェライト磁石、ネオジム磁石、コバルト磁石、ラバーマグネットなどを例示できる。マグネット３０の磁力は、滑り止め部材４０なしで容器本体１１に飲料入れ又は飲料を入れたカップ５０を収容した飲料容器１０を磁性体からなる取付面に吸着させたときに、飲料容器１０が取付面からずれ落ちない磁力の５０％以下、望ましくは６５％以下とすることができる。本発明では、滑り止め部材４０を吸着面２０に装着していることで、飲料容器１０を取付面に吸着させるためのマグネット３０の磁力を小さくすることができる。その結果、壁面に吸着した飲料容器１０を引き剥がす力が少なくて済み、引き剥がしの際の反動も小さくできるから、飲料がこぼれることを防止できる。
【００１７】
滑り止め部材４０は、摩擦係数の高い素材で構成する。たとえば、滑り止め部材４０は、ポリウレタンやシリコーンなどのエラストマー系樹脂や軟質ポリ塩化ビニルとすることができ、吸着面２０に接着や両面テープで貼着される。或いは滑り止め部材４０は、容器本体１１と一体成形（二色成形）とすることもできる。本実施形態では、滑り止め部材４０はシート状のものを採用しており、滑り止め部材４０がマグネット３０を覆うように配置している。
【００１８】
然して、上記構成の飲料容器１０は、マグネット３０を内装しているから、吸着面２０を磁性体からなる壁面、冷蔵庫、ロッカー、ホワイトボードなど（以下まとめて「取付面」と称する）に吸着させることができる。飲料容器１０は、重力により下向きの力が作用するが、本発明では、マグネット３０により飲料容器１０は取付面に垂直な向きの吸引力を付与し、さらに、滑り止め部材４０が取付面に対して摩擦抵抗を発揮し、ずり落ちを抑える。従って、マグネット３０の磁力は、滑り止め部材４０がない場合に比べて小さくて済む。そして、マグネット３０の磁力を少ないことから、取付面に吸着した飲料容器１０を引き剥がす力が少なくて済み、引き剥がしの際の反動も少なくできるから、飲料がこぼれることを防止できる。
【００１９】
なお、取付面から飲料容器１０を取り外す場合には、掴み部１３を掴んで、飲料容器１０を下斜め手前に引くことが望ましい。これにより、取付面に容器本体１１の下端を支点として飲料容器１０は揺動し、てこの原理によりマグネット３０を取付面から容易に引き剥がすことができる。
【００２０】
＜変形例＞
第１実施形態の飲料容器１０について、図３に示すように、滑り止め部材４０をマグネット３０の下方に設け、取付面６０に吸着させることもできる。この場合、滑り止め部材４０は、吸着面２０よりも僅かに突出する形態とし、マグネット３０を取付面６０に吸着させたときに、滑り止め部材４０は圧縮を受けて強く取付面６０に当たり、摩擦抵抗が高くなる構成とすることが望ましい。
【００２１】
＜第２実施形態＞
図４及び図５は、ホルダー型の飲料容器１０の実施形態を示している。なお、第１実施形態と同じ符号は同じ部材を示し、適宜説明を省略する。
【００２２】
飲料容器１０は、容器本体１１を下方に向けてやや縮径した筒状形状としており、内径はカップ５０が収容可能且つ脱落しない大きさとしている。容器本体１１の周面には、掴み部１３が形成されている。
【００２３】
容器本体１１の上縁は、カップ５０が取り出し易くするために一部に凹み１５を形成している。凹み１５は、ユーザーが掴み部１３を掴んで飲料を飲む際に、ユーザーの口が直接容器本体１１に当たらないようにするために、掴み部１３に対して９０度ずれた位置に形成することが望ましい。
【００２４】
吸着面２０は、掴み部１３に対して径方向に対向する位置に設けられている。本実施形態では、容器本体１１の周面から膨出して内向きに溝２３を形成し、当該溝２３にスライド可能にカバー２５を装着するようにしている。カバー２５には、マグネット３０が配置され、カバー２５の外面には、シート状の滑り止め部材４０が貼着されている。なお、カバー２５自体をエラストマー系樹脂で形成し、滑り止め部材４０としても構わない。
【００２５】
上記構成の飲料容器１０によれば、図４に示すようにカップ５０を容器本体１１に入れた状態で吸着面２０を取付面に吸着させることができ、第１実施形態と同様の効果を有する。
【００２６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【実施例】
【００２７】
飲料容器１０について、滑り止め部材４０の有無によりマグネット３０の磁力をどれだけ減らせるか、マグネット３０の数を変えて確認試験を行なった。なお、滑り止め部材４０を配置した発明例の飲料容器１０を図３に示す。また、比較例の飲料容器は、発明例の飲料容器１０から滑り止め部材４０を取り外したものである。試験条件、試験方法は以下のとおりである。
【００２８】
＜試験条件＞
飲料容器１０：ＡＢＳ樹脂製
マグネット３０：ネオジム磁石（２５０ｍＴ、直径１３ｍｍ、厚さ２．５ｍｍ）
滑り止め部材４０：発明例はウレタンゴム（取付面６０との接触面積１８６ｍｍ２）、比較例はなし。
取付面６０：ホワイトボード
【００２９】
＜試験方法＞
飲料容器１０には５００ｇの錘７０を入れた。そして、吸着面２０に配置するマグネット３０の個数を変えて、取付面６０からずり落ちない最小数のマグネット３０の数を調べた。そして、最小数のマグネット３０を装着した飲料容器１０について、取付面６０から引き剥がす際に必要な引張り耐荷重をデジタルテンションゲージで測定した（１０回平均）。結果を表１に示す。
【００３０】
【表１】
2020156769.tif 000003
【００３１】
結果を参照すると、滑り止め部材４０を装着した発明例は、滑り止め部材なしの比較例に比べて、マグネット３０の数が４個少ない２個であっても取付面６０からずり落ちることなく、吸着状態を維持できた。すなわち、マグネット数を約６７％減少させることができた。また、マグネット３０の数を減らせたことにより、飲料容器１０を引き剥がす際に必要な力（引張り耐荷重）も、比較例が１２．３８Ｎであるのに対し、発明例は僅か３．８４Ｎで済み、約６９％小さくできたことがわかる。このように、滑り止め部材４０を吸着面２０に配置したことで、飲料容器１０を取付面６０に吸着させるために必要なマグネット３０の数を減らすことができ、飲料容器１０を取付面６０から引き剥がすために必要な力も小さくて済むから、飲料容器１０の引き剥がしの際に、飲料がこぼれてしまうことを防止できる。
【符号の説明】
【００３２】
１０  飲料容器
１１  容器本体
２０  吸着面
３０  マグネット
４０  滑り止め部材
５０  カップ
【図１】
2020156769.tif 000004
【図２】
2020156769.tif 000005
【図３】
2020156769.tif 000006
【図４】
2020156769.tif 000007
【図５】
2020156769.tif 000008